(57)【要約】【課題】ガラス管内での放電有効長を長くとれ、放電の高効率化、輝度の向上、長寿命化が図れる冷陰極蛍光ランプを提供する。【解決手段】本発明は、ガラス管１の内壁面に蛍光体膜２を形成し、ガラス管の内部の放電空間に水銀と希ガスを封入し、ガラス管の両端部それぞれに電極４を封装した冷陰極蛍光ランプにおいて、電極４は、モリブデンの円盤状基材４Ａにダイヤモンド膜４Ｂを形成したとした冷陰極蛍光ランプを特徴とする。【選択図】      図１
2008004473.tif 000002
【特許請求の範囲】
【請求項１】
ガラス管の内壁面に蛍光体膜を形成し、前記ガラス管の内部の放電空間に水銀と希ガスを封入し、前記ガラス管の両端部それぞれに電極を封装した冷陰極蛍光ランプにおいて、
前記電極は、モリブデンの円盤状基材にダイヤモンド膜を形成したものであることを特徴とする冷陰極蛍光ランプ。
【請求項２】
前記電極の基材は、封着線と一体にしたことを特徴とする請求項１に記載の冷陰極蛍光ランプ。
【請求項３】
請求項１又は２に記載の冷陰極蛍光ランプを光源として備えたバックライト装置。
【発明の詳細な説明】
【技術分野】
【０００１】
本発明は、冷陰極蛍光ランプ及びそれを光源とするバックライト装置に関する。
【背景技術】
【０００２】
従来、液晶表示装置のバックライト装置に光源として用いている冷陰極蛍光ランプは、図６に示す構成であり、両端を封着したガラス管１の内壁面に蛍光体膜２を形成し、ガラス管１の内部放電空間に水銀と希ガスを放電媒体３として封入し、ガラス管１の両端部それぞれにカップ状電極４を封装している。そして電極４には封着線５、導入線６が接続してあり、封着線５をガラス管１の端部に封着し、導入線６はガラス管１の端から外部に引き出している。ガラス管１は、コバール又はタングステンを封着できる硼珪酸ガラスを素材としている。電極４はモリブデンを素材とし、カップ状をしている。
【０００３】
このような従来の冷陰極蛍光ランプの発光原理は次の通りである。ガラス管１の両端部の１対の電極４，４間に高電圧を印加することによってガラス管１の内部放電空間で放電を生起させ、放電媒体３の水銀を励起して紫外線を放出させる。この紫外線はガラス管１の内壁面の蛍光体膜２に照射され、蛍光体が励起して可視光を発生する。
【０００４】
このような従来の冷陰極蛍光ランプにあって、高効率化への対策として、電極４はカップ状にし、しかも材質も高効率化が図れるモリブデンを採用している。しかしながら、高効率化、長寿命化というところでは、このような電極構造の冷陰極蛍光ランプでは十分ではなく、さらなる改良が求められていた。
【０００５】
このような改善要求に応える技術として、特開２００５−１０８５６４号公報（特許文献１）、特開２００５−４４５９０号公報（特許文献２）に記載されたものが知られている。これは、ダイヤモンド膜を表面に形成した電極を備えた放電灯である。
【０００６】
しかしながら、このような従来の放電灯では、電極基材が円筒型であり、その周面にダイヤモンド膜を形成しているので、電極にガラス管軸方向にある程度の長さが必要であり、それだけ、ガラス管の反対側の端部に設置されている電極との対向距離が少なくとも１対の電極の軸長分だけ短くなり、放電有効長が短くなる問題点があった。
【特許文献１】特開２００５−１０８５６４号公報
【特許文献２】特開２００５−４４５９０号公報
【発明の開示】
【発明が解決しようとする課題】
【０００７】
本発明は、上述した従来技術の問題点に鑑みてなされたもので、ガラス管内での放電有効長を長くとれ、放電の高効率化、輝度の向上、そして長寿命化が図れる冷陰極蛍光ランプを提供することを目的とする。
【０００８】
本発明はまた、長寿命、高効率、高輝度の冷陰極蛍光ランプを光源として備えたバックライト装置を提供することを目的とする。
【課題を解決するための手段】
【０００９】
請求項１の発明は、ガラス管の内壁面に蛍光体膜を形成し、前記ガラス管の内部の放電空間に水銀と希ガスを封入し、前記ガラス管の両端部それぞれに電極を封装した冷陰極蛍光ランプにおいて、前記電極は、モリブデンの円盤状基材にダイヤモンド膜を形成したものであることを特徴とする。
【００１０】
請求項２の発明は、請求項１の冷陰極蛍光ランプにおいて、前記電極の基材を、封着線と一体にしたことを特徴とする。
【００１１】
請求項３の発明は、請求項１又は２に記載の冷陰極蛍光ランプを光源として備えたバックライト装置を特徴とする。
【発明の効果】
【００１２】
本発明の冷陰極蛍光ランプによれば、ガラス管の両端部それぞれに封装した電極を、モリブデンの円盤状基材にダイヤモンド膜を形成したものであるので、ガラス管内での電極間距離、すなわち、放電有効長を長くとれ、放電の高効率化、輝度の向上、そして長寿命化が図れる。
【００１３】
また本発明のバックライト装置によれば、長寿命、高輝度、高効率の冷陰極蛍光ランプを光源として備えているので、装置として長寿命、かつ高効率なものとすることができる。
【発明を実施するための最良の形態】
【００１４】
以下、本発明の実施の形態を図に基づいて詳説する。
【００１５】
（第１の実施の形態）図１は、本発明の第１の実施の形態の冷陰極蛍光ランプの断面を示している。本実施の形態の冷陰極蛍光ランプは、両端を封着したガラス管１の内壁面に蛍光体膜２を形成し、ガラス管１の内部放電空間に水銀と希ガスを放電媒体３として封入し、ガラス管１の両端部それぞれにモリブデンの円盤状基材４Ａの表面にダイヤモンド膜４Ｂを形成した電極４を封装している。そして電極４の基材４Ａの背面側には封着線５が一体に形成されており、この封着線５の部分をガラス管１の端部に気密的封着することで電極４を所定の位置に保持している。封着線５の外端には導入線６が接続してあり、ガラス管１の端部から外部に引き出されている。
【００１６】
ガラス管１は、コバール又はタングステンを封着できる硼珪酸ガラスを素材としている。電極４の円盤状の基材４Ａの外径は、ガラス管１の内径よりも若干小さい寸法にして、反対側の電極４の基材４Ａと対向している。ダイヤモンド膜４Ｂはこの対向面側に形成されている。
【００１７】
本実施の形態の冷陰極蛍光ランプでは、ガラス管１の両端部の１対の電極４，４間に高電圧を印加することで放電媒体に放電を生起させると、この放電で発生した紫外線を蛍光体膜２に入射させて蛍光体を励起し、可視光を発光させる。ダイヤモンド膜４Ｂのこの放電の際に、高い２次電子放出性能を示し、高効率な放電発光を可能とし、同時に基材４Ａの消耗を防ぎ、ランプを長寿命にする。
【実施例】
【００１８】
図２に、上記実施の形態の冷陰極蛍光ランプと従来のカップ型モリブデン電極を備えた冷陰極蛍光ランプとの輝度特性を示している。本発明の実施例（開発品）の場合、従来品（現行品）よりも有効発光長を１０ｍｍ程度長くできている。
【００１９】
また、図３に本発明の実施例と従来例とのランプ電圧を示している。本発明の実施例（開発品）の場合、陰極降下電圧の低いダイヤモンド膜を備えたことによって、従来品（現行品）よりもランプ電圧を低くでき、消費電力を削減できる。
【００２０】
（第２の実施の形態）図４は、本発明の第２の実施の形態の液晶ディスプレイ（ＬＣＤ）用のバックライト装置を示している。本実施の形態のバックライト装置はエッジライト方式であり、アクリル製導光板２１のエッジに沿ってコ字溝若しくはＵ字溝を有するリフレクタ２２を、その溝が導光板２１のエッジに対向して開口するように配置し、さらに光源として第１の実施の形態の冷陰極蛍光ランプ１０をリフレクタ２２に２本並列に内挿している。さらに、導光板２１の裏面側には反射シート２４を当て、その表面側には光拡散シート２５、そして集光シート２６を配している。
【００２１】
このような構成の第２の実施の形態のバックライト装置では、光源として第１の実施の形態の冷陰極蛍光ランプ１０を用いることにより、高効率、高輝度にして長寿命のバックライト装置を実現することができる。
【００２２】
（第３の実施の形態）本発明の第３の実施の形態のバックライト装置について、図５を用いて説明する。本実施の形態のバックライト装置は、直下型バックライト方式であり、反射ケース２０１に光源として第１の実施の形態の冷陰極蛍光ランプ１０を複数本並列するように収容し、バックフレーム２０２とフロントフレーム２０３で補強した構造である。反射ケース２０１内には、冷陰極蛍光ランプ１０の背面に近接又は接触するように光反射作用のあるリフレクタシート又は板材、樹脂成型品を収容している。
【００２３】
このような構成の第３の実施の形態のバックライト装置でも、バックライト光源として第１の実施の形態の冷陰極蛍光ランプ１０を用いることにより、高効率、高輝度にして長寿命のバックライト装置を実現することができる。
【図面の簡単な説明】
【００２４】
【図１】本発明の１つの実施の形態の冷陰極蛍光ランプの断面図。
【図２】本発明の実施例と従来例との軸方向輝度分布特性のグラフ。
【図３】本発明の実施例と従来例とのランプ電圧のグラフ。
【図４】本発明の第２の実施の形態のバックライト装置の分解斜視図。
【図５】本発明の第３の実施の形態のバックライト装置の分解斜視図。
【図６】従来例の冷陰極蛍光ランプの断面図。
【符号の説明】
【００２５】
１  ガラス管
２  蛍光体膜
３  放電媒体
４  電極
４Ａ  基材
４Ｂ  ダイヤモンド膜
５  封着線
【図１】
2008004473.tif 000003
【図２】
2008004473.tif 000004
【図３】
2008004473.tif 000005
【図４】
2008004473.tif 000006
【図５】
2008004473.tif 000007
【図６】
2008004473.tif 000008